(57)【要約】【課題】レシーバの配置を改善することにより、液晶ディスプレイの表示エリアをできるだけ大きくする。【解決手段】液晶ディスプレイ４の上端近傍に放音孔６を設け、この放音孔６の奥側にレシーバ７を内蔵する。レシーバ７を、真正面から見たときに、放音孔６とずれた位置に配置し、レシーバ７と放音孔６とを、レシーバ７が放つ音をレシーバ７の放音方向と異なる方向に向ける放音ダクト８により連通させる。【選択図】図１
2013239788.tif 000002
【特許請求の範囲】
【請求項１】
表示ディスプレイと、該表示ディスプレイの上端近傍に設けた放音孔と、該放音孔の奥側に内蔵されたレシーバとを備えた携帯端末において、
上記レシーバは、真正面から見たときに、上記放音孔とずれた位置に配置され、該レシーバと上記放音孔とが、該レシーバが放つ音を該レシーバの放音方向と異なる方向に向ける放音ダクトにより連通されている
ことを特徴とする携帯端末。
【請求項２】
請求項１に記載の携帯端末において、
上記レシーバは、該レシーバの放音方向が上記表示ディスプレイから離れる方向へ向かうように配置され、
上記レシーバの放音方向と反対側には、カメラユニットが配置されている
ことを特徴とする携帯端末。
【請求項３】
請求項１又は２に記載の携帯端末において、
上記レシーバとメイン基板とを接続するフレキシブル基板は、該レシーバを上記放音ダクトの端部に貼り付けた後、板金による押さえ込み圧接により該レシーバに対して取り付けられている
ことを特徴とする携帯端末。
【請求項４】
請求項１乃至３のいずれか１つに記載の携帯端末において、
上記放音ダクトの内部には、リング状の吸水クッションが設けられている
ことを特徴とする携帯端末。
【発明の詳細な説明】
【技術分野】
【０００１】
本発明は、表示ディスプレイとレシーバとを備えた携帯端末に関し、特にレシーバの配置構造に関する。
【背景技術】
【０００２】
従来より、携帯端末の代表的なものとして、表示ディスプレイとレシーバとマイクとを備えた携帯電話機が用いられている。
【０００３】
通常、携帯電話機では、表示ディスプレイの下方に通話用のマイクが配置され、表示ディスプレイの上方にレシーバの放音孔が配置されている（例えば、特許文献１参照）。
【先行技術文献】
【特許文献】
【０００４】
【特許文献１】特開２０１１−１２４７４２号公報
【発明の概要】
【発明が解決しようとする課題】
【０００５】
しかしながら、従来の携帯端末では、通常真正面から見て放音孔の奥側にレシーバ（スピーカ）が表示ディスプレイと横並びで配置されるので、表示ディスプレイの表示エリアが制限されて小さくなってしまうという問題がある。
【０００６】
本発明は、かかる点に鑑みてなされたものであり、その目的とするところは、レシーバの配置を改善することにより、表示ディスプレイの表示エリアをできるだけ大きくすることにある。
【課題を解決するための手段】
【０００７】
上記の目的を達成するために、この発明では、レシーバを表示ディスプレイと横並びにするのではなく、縦置きに配置するようにした。
【０００８】
具体的には、第１の発明では、表示ディスプレイと、該表示ディスプレイの上端近傍に設けた放音孔と、該放音孔の奥側に内蔵されたレシーバとを備えた携帯端末を対象とする。
【０００９】
そして、上記レシーバは、真正面から見たときに、上記放音孔とずれた位置に配置され、該レシーバと上記放音孔とが、該レシーバが放つ音を該レシーバの放音方向と異なる方向に向ける放音ダクトにより連通されている。
【００１０】
上記の構成によると、レシーバを真正面から見たときに放音孔とずれた位置に配置して放音ダクトによりレシーバからの音を、その放音方向とは異なる方向に配置された放音孔に伝えるようにしたので、レシーバと表示ディスプレイとを横並びにしなくてもよくなり、表示エリアをできるだけ広くすることができる。
【００１１】
第２の発明では、第１の発明において、
上記レシーバは、該レシーバの放音方向が上記表示ディスプレイから離れる方向へ向かうように配置され、
上記レシーバの放音方向と反対側には、カメラユニットが配置されている。
【００１２】
上記の構成によると、従来のように放音孔の奥側にレシーバを配置して放音方向を直接放音孔に向けるのではなく、表示ディスプレイから離れる方向へ向け、放音ダクトでつないだことにより、レシーバを、表示ディスプレイと横並びにするのではなく、垂直に（縦置きに）配置することも可能となる。また、カメラ（特に光学レンズを有するカメラ）によって生じた広いスペースにレシーバを配置できるので、携帯電話機１の厚さが厚くなることはない。
【００１３】
第３の発明では、第１又は第２の発明において、
上記レシーバとメイン基板とを接続するフレキシブル基板は、該レシーバを上記放音ダクトの端部に貼り付けた後、板金による押さえ込み圧接により該レシーバに対して取り付けられている。
【００１４】
すなわち、レシーバを放音ダクトの端部に貼り付けるときにフレキシブル基板があると、十分にレシーバを放音ダクトに押さえ付けることができないが、上記の構成によると、貼付時には、レシーバにフレキシブル基板が半田付けされていないので、貼付作業がやりやすい。また、レシーバの固定後にフレキシブル基板を押さえ込み圧接によりレシーバに取り付ければよい。
【００１５】
第４の発明では、第１乃至第３のいずれか１つの発明において、
上記放音ダクトの内部には、リング状の吸水クッションが設けられている。
【００１６】
上記の構成によると、放音孔から水が放音ダクトに入り込んでも、リング状の吸水クッションによって吸収され、さらに奥に入り込むことはない。
【発明の効果】
【００１７】
以上説明したように、本発明によれば、レシーバを真正面から見たときに放音孔とずれた位置に配置し、このレシーバと放音孔とを、レシーバの放音方向と異なる方向へレシーバの音を伝える放音ダクトによって連通させたことにより、表示ディスプレイの一部とレシーバとを重ねて配置することも可能となるので、表示ディスプレイの表示面をできるだけ広くすることができる。
【図面の簡単な説明】
【００１８】
【図１】図２のＩ−Ｉ線拡大断面図である。
【図２】携帯電話機の正面図である。
【図３】携帯電話機をＩ−Ｉ線に沿って切断した分解斜視図である。
【図４】レシーバ、レシーバプレート、フレキシブル基板及びその周辺を一部切断して示す斜視図である。
【発明を実施するための形態】
【００１９】
以下、本発明の実施形態を図面に基づいて説明する。
【００２０】
図２は本発明の実施形態の携帯端末としての携帯電話機１を示し、この携帯電話機１は、図３にも示すように、背面側キャビネット２と、正面側キャビネット３とを有し、正面側キャビネット３の正面側には、表示ディスプレイとしての液晶ディスプレイ４が配置され、その正面がガラス、アクリル板等の透明パネル５で覆われている。なお、本実施形態では、通話時の上下方向（図２の上下方向を）基準に説明する。
【００２１】
透明パネル５（正面側キャビネット３）の上端には、放音孔６が開口されている。この放音孔６の奥側には、通話用のレシーバ７が内蔵されている。
【００２２】
そして、図１に示すように、レシーバ７は、真正面から見たときに、放音孔６と重なった位置ではなく、放音孔６よりも液晶ディスプレイ４側、具体的には、透明パネル５の上端裏側に配置されている。そして、左右側方から見たときに、レシーバ７と放音孔６とが略Ｌ字状に曲がる放音ダクト８により連通されている。レシーバ７は、その放音方向が液晶ディスプレイ４から離れる方向（上方）へ向かうように配置されている。すなわち、レシーバ７の放音方向は、液晶ディスプレイ４の表面と平行になっており、従来のようにレシーバ７を液晶ディスプレイ４と横並びにするのではなく、縦置きにしている。放音ダクト８は、傾斜面８ａを有し、この傾斜面８ａにより、レシーバ７の音が放音孔６へ効果的に向かうようになっている。本実施形態の放音ダクト８の断面形状は矩形状となっているが、その形状は特に限定されず、円形、楕円形等でもよい。また、放音ダクト８は、側面視でＬ字状としたが、側面視で角部が丸くなるように湾曲した形状としてもよい。
【００２３】
図４に示すように、レシーバ７と、携帯電話機１の制御を行うメイン基板（図示せず）とを接続するフレキシブル基板９は、レシーバ７を放音ダクト８の端部（下端開口周縁）に治具等により押さえ付けて両面テープ１３等により貼り付けた後、板金よりなるレシーバプレート１０による押さえ込み圧接によりレシーバ７に対して取り付けられている。
【００２４】
すなわち、レシーバ７を放音ダクト８の端部に貼り付けるときにフレキシブル基板９があると、治具等によってレシーバ７を放音ダクト８の端部に十分に押さえ付けて両面テープ１３を接着することができない。しかし、本実施形態では、貼付時には、レシーバ７にフレキシブル基板９が半田付けされていないので、貼付作業がやりやすくなっている。
【００２５】
また、図１に示すように、レシーバ７の放音方向と反対側（下側）には、光学レンズを備えるカメラユニット１１が配置されている。光学レンズを有する場合、カメラユニット１１の厚さが必然的に厚くなるが、そのカメラユニット１１の必要なスペースを有効に利用してレシーバ７を液晶ディスプレイ４に対して垂直に（放音方向が上方となるように）配置している。このため、携帯電話機１の厚さが厚くなることはない。
【００２６】
そして、放音ダクト８の内部には、リング状の吸水クッション１２が設けられている。吸水クッション１２の形状は、放音ダクト８の内面に合わせて形成すればよく、その外周面が放音ダクト８の内面に接し、その中央部分に貫通孔が設けられているのが望ましい。このため、放音孔６から水が放音ダクト８に入り込んでも、リング状の吸水クッション１２によって吸収され、さらに奥に入り込むことはない。
【００２７】
このように、放音ダクト８によりレシーバ７からの音を、その放音方向と垂直な方向にある放音孔６に伝えるようにしたので、正面から見たときに液晶ディスプレイ４（透明パネル５）の上端部をレシーバ７と重ねることも可能となる。
【００２８】
したがって、本実施形態にかかる携帯電話機１によると、液晶ディスプレイ４の表示面をできるだけ広くすることができる。
【００２９】
（その他の実施形態）
本発明は、上記実施形態について、以下のような構成としてもよい。
【００３０】
すなわち、上記実施形態では、携帯端末は、携帯電話機１としたが、表示ディスプレイ及びレシーバを有するものであれば、ＰＨＳ（Personal Handy-phone System ）、ＰＤＡ(Personal Digital Assistant)、スマートフォン、パソコン、モバイルツール、電子辞書、電卓、ゲーム機等であってもよい。
【００３１】
上記実施形態では、レシーバ７は、液晶ディスプレイ４に対して垂直な縦置きとしたが、完全に垂直ではなく、多少斜めに配置してもよい。
【００３２】
なお、以上の実施形態は、本質的に好ましい例示であって、本発明、その適用物や用途の範囲を制限することを意図するものではない。
【符号の説明】
【００３３】
１      携帯電話機（携帯端末）
２      背面側キャビネット
３      正面側キャビネット
４      液晶ディスプレイ
５      透明パネル
６      放音孔
７      レシーバ
８      放音ダクト
９      フレキシブル基板
１０      レシーバプレート（板金）
１１      カメラユニット
１２      吸水クッション
１３      両面テープ
【図１】
2013239788.tif 000003
【図２】
2013239788.tif 000004
【図３】
2013239788.tif 000005
【図４】
2013239788.tif 000006